(57)【要約】【課題】あるベアラのデータを複数のキャリアを用いて基地局からユーザ装置に送信する移動通信システムにおいて、ベアラ毎、キャリア毎にユーザ装置に送信されたデータ量を把握する。【解決手段】前記移動通信システムの基地局において、前記基地局からユーザ装置へ送信する下りデータについてのデータ送信量を、当該データを伝送するベアラ毎に、当該ベアラのデータを伝送するキャリア毎に測定するデータ送信量測定部と、前記移動通信システムにおけるデータ送信量管理装置から、ベアラとキャリアを指定したデータ送信量報告要求メッセージを受信し、当該データ送信量報告要求メッセージにより指定されたベアラとキャリアに対応するデータ送信量を含むデータ送信量報告メッセージを作成し、当該データ送信量報告メッセージを前記データ送信量管理装置に送信するデータ送信量報告制御部とを備える。【選択図】図５
2015164262.tif 000002
【特許請求の範囲】
【請求項１】
キャリアアグリゲーションに対応した移動通信システムにおける基地局であって、
前記基地局からユーザ装置へ送信する下りデータについてのデータ送信量を、当該データを伝送するベアラ毎に、当該ベアラのデータを伝送するキャリア毎に測定するデータ送信量測定部と、
前記移動通信システムにおけるデータ送信量管理装置から、ベアラとキャリアを指定したデータ送信量報告要求メッセージを受信し、当該データ送信量報告要求メッセージにより指定されたベアラとキャリアに対応するデータ送信量を含むデータ送信量報告メッセージを作成し、当該データ送信量報告メッセージを前記データ送信量管理装置に送信するデータ送信量報告制御部と
を備えることを特徴とする基地局。
【請求項２】
前記データ送信量報告メッセージは更に、前記データ送信量の測定を開始した時刻を含むことを特徴とする請求項１に記載の基地局。
【請求項３】
キャリアアグリゲーションに対応した移動通信システムにおけるデータ送信量管理装置であって、
前記移動通信システムにおける基地局に対し、当該基地局からユーザ装置へ送信する下りデータについてのデータ送信量の報告を要求するデータ送信量報告要求メッセージを送信する送信部と、
前記データ送信量報告要求メッセージを受信した前記基地局から、要求されたデータ送信量を含むデータ送信量報告メッセージを受信する受信部と、を備え、
前記データ送信量報告要求メッセージは、ベアラとキャリアを指定する情報を含み、前記データ送信量報告メッセージに含まれるデータ送信量は、前記指定されたベアラとキャリアを使用して前記基地局から前記ユーザ装置に送信されたデータの送信量である
ことを特徴とするデータ送信量管理装置。
【請求項４】
前記送信部は、定期的に、又は、前記基地局におけるあるベアラが終了したときに、前記データ送信量報告要求メッセージを前記基地局に送信する
ことを特徴とする請求項３に記載のデータ送信量管理装置。
【請求項５】
キャリアアグリゲーションに対応した移動通信システムにおける基地局が実行するデータ送信量報告方法であって、
前記基地局からユーザ装置へ送信する下りデータについてのデータ送信量を、当該データを伝送するベアラ毎に、当該ベアラのデータを伝送するキャリア毎に測定するデータ送信量測定ステップと、
前記移動通信システムにおけるデータ送信量管理装置から、ベアラとキャリアを指定したデータ送信量報告要求メッセージを受信し、当該データ送信量報告要求メッセージにより指定されたベアラとキャリアに対応するデータ送信量を含むデータ送信量報告メッセージを作成し、当該データ送信量報告メッセージを前記データ送信量管理装置に送信するデータ送信量報告ステップと
を備えることを特徴とするデータ送信量報告方法。
【請求項６】
キャリアアグリゲーションに対応した移動通信システムにおけるデータ送信量管理装置が実行するデータ送信量取得方法であって、
前記移動通信システムにおける基地局に対し、当該基地局からユーザ装置へ送信する下りデータについてのデータ送信量の報告を要求するデータ送信量報告要求メッセージを送信する送信ステップと、
前記データ送信量報告要求メッセージを受信した前記基地局から、要求されたデータ送信量を含むデータ送信量報告メッセージを受信する受信ステップと、を備え、
前記データ送信量報告要求メッセージは、ベアラとキャリアを指定する情報を含み、前記データ送信量報告メッセージに含まれるデータ送信量は、前記指定されたベアラとキャリアを使用して前記基地局から前記ユーザ装置に送信されたデータの送信量である
ことを特徴とするデータ送信量取得方法。
【発明の詳細な説明】
【技術分野】
【０００１】
本発明は、移動通信システムにおいて、基地局がユーザ装置に送信したデータの送信量を取得する技術に関連するものである。
【背景技術】
【０００２】
現状のＬＴＥ（ＬＴＥ−Ａｄｖａｎｃｅｄを含む）システムは、通信事業者に割り当てられたＬｉｃｅｎｓｅｄバンド（以降、ライセンスバンドと呼ぶ）で運用が行われている。一方、増加するユーザトラヒックを吸収する等のために、免許不要周波数帯であるＵｎｌｉｃｅｎｓｅｄバンド（以降、アンライセンスバンドと呼ぶ）を使用して帯域を拡張することが検討されている（例えば、非特許文献１参照）。現状、アンライセンスバンドは無線ＬＡＮ等で用いられている。
【０００３】
ところで、ＬＴＥシステムでは、複数のコンポーネントキャリア（以下、ＣＣ）を同時に使用して通信を可能とするキャリアアグリゲーション（以下、ＣＡ）が導入されている。図１に示すように、ＬＴＥのＲｅｌ−１０までのＣＡでは、同一基地局ｅＮＢ配下の複数のＣＣを用いて同時通信を行うことで高スループットを実現することが可能である。
【０００４】
一方、Ｒｅｌ−１２ではこれをさらに拡張し、異なる基地局ｅＮＢ配下のＣＣを用いて同時通信を行い、高スループットを実現するＤｕａｌ  ｃｏｎｎｅｃｔｉｖｉｔｙ（二重接続）が提案されている。ＣＡの一形態としてのＤｕａｌ  ｃｏｎｎｅｃｔｉｖｉｔｙにおいて、Ｐｃｅｌｌを形成する基地局をＭａｓｔｅｒ−ｅＮＢ（ＭｅＮＢ）と呼び、Ｓｃｅｌｌを形成する基地局をＳｅｃｏｎｄａｒｙ−ｅＮＢ（ＳｅＮＢ）と呼ぶ。図２に、Ｄｕａｌ  ｃｏｎｎｅｃｔｉｖｉｔｙの例を示す。図２の例では、基地局ＭｅＮＢがＣＣ＃１でユーザ装置ＵＥと通信を行い、基地局ＳｅＮＢがＣＣ＃２でユーザ装置ＵＥと通信を行うことでＣＡを実現している。なお、本発明の実施の形態では、下り方向のデータ通信に着目しているため、図１、図２では各ＣＣによる下り方向の通信を示している。
【先行技術文献】
【非特許文献】
【０００５】
【非特許文献１】3GPP RAN #62, Busan, South Korea, Dec 3-7, 2013, RP-131635
【非特許文献２】3GPP TS 25.413 V7.7.0 (2007-09)
【発明の概要】
【発明が解決しようとする課題】
【０００６】
上記のようなＣＡにおいて、１つのベアラのデータを複数のキャリア上で異なるサービス約款で提供する可能性がある。例えば、図１、図２に示す各ＣＡにおいて、ＣＣ＃１にライセンスバンドのキャリアを使用し、ＣＣ＃２にアンライセンスバンドのキャリアを使用して１つのベアラのデータをユーザ装置ＵＥに送信し、ライセンスバンド上での通信のみ課金し、アンライセンスバンド上での通信は非課金とすること等が想定される。
【０００７】
ＬＴＥにおいて下りデータに対する課金を行う場合、例えば、コアネットワークにおいて、あるベアラに対して、ユーザ装置ＵＥに送信した下りデータ量を把握し、そのデータ量に基づき課金を行う。
【０００８】
しかし、現状、コアネットワーク側では、ＣＣ毎の下りデータ量を把握していないので、上記のようにアンライセンスバンドのＣＣによる通信のみを非課金とする場合、適切に課金を行うことができない。
【０００９】
本発明は上記の点に鑑みてなされたものであり、あるベアラのデータを複数のキャリアを用いて基地局からユーザ装置に送信する移動通信システムにおいて、ベアラ毎、キャリア毎にユーザ装置に送信されたデータ量を把握することを可能とする技術を提供することを目的とする。
【課題を解決するための手段】
【００１０】
本発明の実施の形態によれば、キャリアアグリゲーションに対応した移動通信システムにおける基地局であって、
前記基地局からユーザ装置へ送信する下りデータについてのデータ送信量を、当該データを伝送するベアラ毎に、当該ベアラのデータを伝送するキャリア毎に測定するデータ送信量測定部と、
前記移動通信システムにおけるデータ送信量管理装置から、ベアラとキャリアを指定したデータ送信量報告要求メッセージを受信し、当該データ送信量報告要求メッセージにより指定されたベアラとキャリアに対応するデータ送信量を含むデータ送信量報告メッセージを作成し、当該データ送信量報告メッセージを前記データ送信量管理装置に送信するデータ送信量報告制御部とを備える基地局が提供される。
【００１１】
また、本発明の実施の形態によれば、キャリアアグリゲーションに対応した移動通信システムにおけるデータ送信量管理装置であって、
前記移動通信システムにおける基地局に対し、当該基地局からユーザ装置へ送信する下りデータについてのデータ送信量の報告を要求するデータ送信量報告要求メッセージを送信する送信部と、
前記データ送信量報告要求メッセージを受信した前記基地局から、要求されたデータ送信量を含むデータ送信量報告メッセージを受信する受信部と、を備え、
前記データ送信量報告要求メッセージは、ベアラとキャリアを指定する情報を含み、前記データ送信量報告メッセージに含まれるデータ送信量は、前記指定されたベアラとキャリアを使用して前記基地局から前記ユーザ装置に送信されたデータの送信量であるデータ送信量管理装置が提供される。
【００１２】
また、本発明の実施の形態によれば、キャリアアグリゲーションに対応した移動通信システムにおける基地局が実行するデータ送信量報告方法であって、
前記基地局からユーザ装置へ送信する下りデータについてのデータ送信量を、当該データを伝送するベアラ毎に、当該ベアラのデータを伝送するキャリア毎に測定するデータ送信量測定ステップと、
前記移動通信システムにおけるデータ送信量管理装置から、ベアラとキャリアを指定したデータ送信量報告要求メッセージを受信し、当該データ送信量報告要求メッセージにより指定されたベアラとキャリアに対応するデータ送信量を含むデータ送信量報告メッセージを作成し、当該データ送信量報告メッセージを前記データ送信量管理装置に送信するデータ送信量報告ステップとを備えるデータ送信量報告方法が提供される。
【００１３】
また、本発明の実施の形態によれば、キャリアアグリゲーションに対応した移動通信システムにおけるデータ送信量管理装置が実行するデータ送信量取得方法であって、
前記移動通信システムにおける基地局に対し、当該基地局からユーザ装置へ送信する下りデータについてのデータ送信量の報告を要求するデータ送信量報告要求メッセージを送信する送信ステップと、
前記データ送信量報告要求メッセージを受信した前記基地局から、要求されたデータ送信量を含むデータ送信量報告メッセージを受信する受信ステップと、を備え、
前記データ送信量報告要求メッセージは、ベアラとキャリアを指定する情報を含み、前記データ送信量報告メッセージに含まれるデータ送信量は、前記指定されたベアラとキャリアを使用して前記基地局から前記ユーザ装置に送信されたデータの送信量であるデータ送信量取得方法が提供される。
【発明の効果】
【００１４】
本発明の実施の形態によれば、あるベアラのデータを複数のキャリアを用いて基地局からユーザ装置に送信する移動通信システムにおいて、ベアラ毎、キャリア毎にユーザ装置に送信されたデータ量を把握することが可能となる。
【図面の簡単な説明】
【００１５】
【図１】Ｒｅｌ−１０までのＣＡを示す図である。
【図２】Ｄｕａｌ  Ｃｏｎｎｅｃｔｉｖｉｔｙの例を示す図である。
【図３】本発明の実施の形態に係る通信システムの構成例１を示す図である。
【図４】本発明の実施の形態に係る通信システムの構成例２を示す図である。
【図５】本発明の実施の形態に係る通信システムの動作シーケンスを示す図である。
【図６】データ送信量報告要求メッセージの内容を説明するための図である。
【図７】データ送信量報告メッセージの内容を説明するための図である。
【図８】データ送信量報告メッセージの内容を説明するための図である。
【図９】基地局ｅＮＢの機能構成図である。
【図１０】基地局ｅＮＢの動作例を示すフローチャートである。
【図１１】データ送信量管理装置２０の機能構成図である。
【図１２】データ送信量管理装置２０の動作例を示すフローチャートである。
【発明を実施するための形態】
【００１６】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の通信システムは、ＬＴＥ−Ａｄｖａｎｃｅｄを含むＬＴＥに対応していることを想定しているが、本発明はＬＴＥに限らず、ＣＡを行う他の方式にも適用可能である。以下、特に断らない限り、「ＬＴＥ」は、ＬＴＥ−Ａｄｖａｎｃｅｄを含む意味で使用する。また、以下で使用する「キャリア」は、周波数、キャリア周波数、チャネル等と称してもよい。
【００１７】
（通信システム全体構成例）
図３、図４に本発明の実施の形態に係る通信システムの構成図を示す。図３、図４に示す本実施の形態に係る通信システムはいずれもＬＴＥ方式の通信システムである。
【００１８】
図３に示す構成例１の通信システムは、ユーザ装置ＵＥ、基地局ｅＮＢ、及びデータ送信量管理装置２０を含む。ユーザ装置ＵＥ、及び基地局ｅＮＢは、ＣＡを行うことが可能である。また、図３には、Ｓ−ＧＷ１０が示されている。Ｓ−ＧＷ１０は、ユーザデータの伝送を行う在圏パケットゲートウェイ装置であり、各基地局ｅＮＢと外部装置との間でユーザデータの中継を行う装置である。
【００１９】
データ送信量管理装置２０は、基地局ｅＮＢがユーザ装置ＵＥに向けて送信した下りのデータ送信量を基地局ｅＮＢから取得する装置である。データ送信量管理装置２０として、例えばＬＴＥのコアネットワークに備えられるＭＭＥを用いることができるが、ＭＭＥに限られるわけではない。
【００２０】
図３の構成例１では、例えば、Ｓ−ＧＷ１０からベアラ１のデータが送信され、基地局ｅＮＢは、当該ベアラ１のデータをＣＣ＃１とＣＣ＃２からなるＣＡにてユーザ装置ＵＥに送信する。前述したように、例えば、ＣＣ＃１がライセンスバンドのキャリアであり、ＣＣ＃２がアンライセンスバンドのキャリアであってよい。
【００２１】
図４に、本実施の形態に係る通信システムの構成例２を示す。図４に示すように、構成例２では、基地局ＭｅＮＢと基地局ＳｅＮＢを備え、Ｄｕａｌ  ｃｏｎｎｅｃｔｉｖｉｔｙを可能としている。図４の例では、基地局ＭｅＮＢがＣＣ＃１でユーザ装置ＵＥと通信を行い、基地局ＳｅＮＢがＣＣ＃２でユーザ装置ＵＥと通信を行うことでＣＡを実現している。
【００２２】
また、図４の例では、ベアラ１のデータがＳ−ＧＷ１０で分割され、基地局ＭｅＮＢはＣＣ＃１を用いて、分割されたベアラ１のデータを送信し、基地局ＳｅＮＢはＣＣ＃２を用いて、分割されたベアラ１のデータを送信する。構成例２では、例えば、データ送信量管理装置２０は、基地局ＭｅＮＢと基地局ＳｅＮＢのそれぞれからデータ送信量を取得する。
【００２３】
本実施の形態のデータ送信量の要求／報告に係る処理は、図３の構成でも図４の構成でも同様に実施可能であるため、以下では、図３の構成に基づいて説明する。
【００２４】
（通信システムの動作例）
図５に示すように、本実施の形態では、データ送信量管理装置２０が基地局ｅＮＢに対してデータ送信量報告要求（ｄａｔａ  ｖｏｌｕｍｅ  ｒｅｐｏｒｔ  ｒｅｑｕｅｓｔ）メッセージを送信する（ステップ１）。そして、基地局ｅＮＢは、当該メッセージに応答して、データ送信量報告（ｄａｔａ  ｖｏｌｕｍｅ  ｒｅｐｏｒｔ）メッセージを送信する（ステップ２）。
【００２５】
データ送信量報告要求メッセージは、基地局ｅＮＢに対して、ベアラ毎に、キャリア毎の下りのデータ送信量を要求するメッセージである。例えば、データ送信量報告要求メッセージは、１つ又は複数のベアラの識別情報を含み、更に、ベアラ毎に１つ又は複数のキャリアの識別情報を含む。キャリアの識別情報は、例えば、ＥＡＲＦＣＮ（Ｅ−ＵＴＲＡＮ  Ａｂｓｏｌｕｔｅ  Ｒａｄｉｏ  Ｆｒｅｑｕｅｎｃｙ  Ｃｈａｎｎｅｌ  Ｎｕｍｂｅｒ）であるが、これに限られない。例えば、データ送信量報告要求メッセージの中に、ベアラ１、及びベアラ１に対応してキャリア１、２が含まれていた場合、このメッセージは、基地局ｅＮＢからユーザ装置ＵＥに、ベアラ１かつキャリア１で送信されたデータ送信量と、ベアラ１かつキャリア２で送信されたデータ送信量を要求していることを意味する。
【００２６】
データ送信量報告メッセージには、データ送信量報告要求メッセージにより指定されたベアラ毎、キャリア毎の下りのデータ送信量が含まれる。データ送信量は、例えば、ＰＤＣＰ  ＳＤＵの送信量（ある時点からある時点までの送信量の総和）であるがこれに限られるわけではない。また、データ送信量は、オクテット単位の数値で表されてもよいし、他の単位で表されてもよい。また、データ送信量報告メッセージには、データ送信量に、当該データ送信量の測定の測定開始時刻が含まれていてもよい。
【００２７】
基地局ｅＮＢにおいて測定し、報告するデータ送信量は、基地局ｅＮＢからユーザ装置ＵＥに送信されたデータ送信量であってもよいし、基地局ｅＮＢからユーザ装置ＵＥに送信し、ユーザ装置ＵＥによる受信が確認された（ＡＣＫを受信した）データの量であってもよい。また、報告するデータ量として、上記のデータ送信量に加えて、基地局ｅＮＢからユーザ装置ＵＥに送信したが、ユーザ装置ＵＥでの受信を確認できなかったデータ量を報告してもよい。
【００２８】
データ送信量管理装置２０は基地局ｅＮＢに対して、データ送信量報告要求メッセージを定期的に送信してもよいし、他のトリガで送信してもよい。定期的に送信する場合、例えば、基地局ｅＮＢは、１つのベアラの１つのキャリアに関して（ベアラ／キャリアと記載）、１回目に、当該ベアラ／キャリアでのデータ送信開始からデータ送信量報告要求メッセージ受信までの期間におけるデータ送信量を報告し、報告後に当該データ送信量をリセットし、２回目に、当該ベアラ／キャリアでの前回の報告時から今回のデータ送信量報告要求メッセージ受信までの期間におけるデータ送信量を報告し、報告後に当該データ送信量をリセットすることを、当該ベアラ／キャリアでのデータ送信を行う間、繰り返し行うことができる。各回の報告には、測定開始時刻が含まれていてもよい。
【００２９】
また、他のトリガの例としては、例えば、データ送信量管理装置２０は、基地局ｅＮＢにおけるあるベアラの確立を検知し、その後、そのベアラの接続が終了したことを検知したタイミングで、当該ベアラの各キャリアのデータ送信量を要求するデータ送信量報告要求メッセージを基地局ｅＮＢに送信する。メッセージを受信した基地局ｅＮＢは、当該ベアラの確立時から終了時点までに下り送信したデータ送信量をキャリア毎にデータ送信量管理装置２０に報告する。当該報告には、測定開始時刻が含まれていてもよい。
【００３０】
また、データ送信量管理装置２０が、基地局ｅＮＢから、確立したベアラ毎にデータ送信に使用するキャリアの識別情報を受信し、当該基地局ｅＮＢから受信した情報を用いて、データ送信量報告要求メッセージにおいて指定するベアラとキャリアを決定してもよいし、基地局ｅＮＢにおいて確立されるベアラのみを検知して、確立しているベアラ毎に、基地局ｅＮＢが使用する可能性のある全てのキャリアをデータ送信量報告要求メッセージにおいて指定してもよい。また、これら以外の方法でベアラとキャリアを指定してもよい。
【００３１】
また、データ送信量管理装置２０は、現在確立している全てのベアラと使用キャリアについてのデータ送信量を要求するために、特定のベアラ及び特定のキャリアを指定せずにデータ送信量報告要求メッセージを基地局ｅＮＢに送信してもよい。つまり、この場合は、現在確立している全てのベアラと使用キャリアを暗黙的に指定していることになる。
【００３２】
＜メッセージの内容例＞
本実施の形態において使用されるデータ送信量報告要求メッセージ、及びデータ送信量報告メッセージの具体的な内容は特定の内容に限られないが、例えば、非特許文献２に記載されているＤＡＴＡ  ＶＯＬＵＭＥ  ＲＥＰＯＲＴ  ＲＥＱＵＥＳＴのメッセージ及びＤＡＴＡ  ＶＯＬＵＭＥ  ＲＥＰＯＲＴのメッセージをベースとしたメッセージを用いることができる。
【００３３】
図６に、データ送信量報告要求メッセージの内容の例を示す。上記のように、当該メッセージは、非特許文献２に記載されているＤＡＴＡ  ＶＯＬＵＭＥ  ＲＥＰＯＲＴ  ＲＥＱＵＥＳＴのメッセージをベースとし、図６におけるＰｒｅｓｅｎｃｅ、Ｃｒｉｔｉｃａｌｉｔｙ等の項目の意味自体は非特許文献２に記載された意味と同様と考えてよい。他のメッセージの内容を示す図についても同様である。
【００３４】
図６（ａ）におけるＭｅｓｓａｇｅ  Ｔｙｐｅは、当該メッセージがデータ送信量報告要求メッセージであることを示す情報になる。図６（ａ）に示すように、当該メッセージはＲＡＢｓ  Ｄａｔａ  Ｖｏｌｕｍｅ  Ｒｅｐｏｒｔ  Ｌｉｓｔを含み、当該Ｌｉｓｔの要素は、ＲＡＢｓ  Ｄａｔａ  Ｖｏｌｕｍｅ  Ｒｅｐｏｒｔ  Ｉｔｅｍ  ＩＥであり、ＲＡＢｓ  Ｄａｔａ  Ｖｏｌｕｍｅ  Ｒｅｐｏｒｔ  Ｉｔｅｍ  ＩＥは、ＲＡＢ  ＩＤ、Ｃａｒｒｉｅｒ  Ｆｒｅｑｕｅｎｃｙ  Ｌｉｓｔを含む。Ｃａｒｒｉｅｒ  Ｆｒｅｑｕｅｎｃｙ  Ｌｉｓｔの要素はＣａｒｒｉｅｒ  Ｆｒｅｑｕｅｎｃｙ  Ｉｔｅｍ  ＩＥであり、Ｃａｒｒｉｅｒ  Ｆｒｅｑｕｅｎｃｙ  Ｉｔｅｍ  ＩＥはＥＡＲＦＣＮを含む。
【００３５】
ＲＡＢ  ＩＤは、報告対象のベアラ（Ｒａｄｉｏ  Ａｃｃｅｓｓ  Ｂｅａｒｅｒ）を示し、ＥＡＲＦＣＮは報告対象のキャリア（Ｃａｒｒｉｅｒ  Ｆｒｅｑｕｅｎｃｙ）を示す。図６（ｂ）に示すように、ベアラの数と、キャリアの数のそれぞれの範囲が定められる。
【００３６】
図７に、データ送信量報告メッセージの内容の例を示す。当該メッセージは、非特許文献２に記載されているＤＡＴＡ  ＶＯＬＵＭＥ  ＲＥＰＯＲＴのメッセージをベースとする。
【００３７】
図７（ａ）におけるＭｅｓｓａｇｅ  Ｔｙｐｅは、当該メッセージがデータ送信量報告メッセージであることを示す情報になる。図７（ａ）に示すように、当該メッセージはＲＡＢｓ  Ｄａｔａ  Ｖｏｌｕｍｅ  Ｒｅｐｏｒｔ  Ｌｉｓｔを含み、当該Ｌｉｓｔの要素は、ＲＡＢｓ  Ｄａｔａ  Ｖｏｌｕｍｅ  Ｒｅｐｏｒｔ  Ｉｔｅｍ  ＩＥであり、ＲＡＢｓ  Ｄａｔａ  Ｖｏｌｕｍｅ  Ｒｅｐｏｒｔ  Ｉｔｅｍ  ＩＥは、ＲＡＢ  ＩＤ、Ｃａｒｒｉｅｒ  Ｆｒｅｑｕｅｎｃｙ  Ｌｉｓｔを含む。Ｃａｒｒｉｅｒ  Ｆｒｅｑｕｅｎｃｙ  Ｌｉｓｔの要素はＣａｒｒｉｅｒ  Ｆｒｅｑｕｅｎｃｙ  Ｉｔｅｍ  ＩＥであり、Ｃａｒｒｉｅｒ  Ｆｒｅｑｕｅｎｃｙ  Ｉｔｅｍ  ＩＥはＥＡＲＦＣＮ、Ｔｒａｎｓｍｉｔｔｅｄ  ＤＬ  Ｄａｔａ  Ｖｏｌｕｍｅ、Ｄａｔａ  Ｖｏｌｕｍｅ  Ｒｅｆｅｒｅｎｃｅを含む。図７（ｂ）に示すように、ベアラの数と、キャリアの数のそれぞれの範囲が定められる。
【００３８】
Ｔｒａｎｓｍｉｔｔｅｄ  ＤＬ  Ｄａｔａ  Ｖｏｌｕｍｅは、キャリア毎（ＥＡＲＦＣＮ毎）の情報であり、当該キャリア上で送信されたＰＤＣＰ  ＳＤＵの総和のデータ量を示す。また、Ｄａｔａ  Ｖｏｌｕｍｅ  Ｒｅｆｅｒｅｎｃｅもキャリア毎（ＥＡＲＦＣＮ毎）の情報であり、計測を開始した時刻（ｒｅｆｅｒｅｎｃｅ  ｔｉｍｅ）を示す。つまり、Ｔｒａｎｓｍｉｔｔｅｄ  ＤＬ  Ｄａｔａ  Ｖｏｌｕｍｅは、該当ベアラの該当キャリアについて、ｒｅｆｅｒｅｎｃｅ  ｔｉｍｅから現在までにユーザ装置ＵＥに送信された累積のデータ送信量を示す。図８に示すように、Ｔｒａｎｓｍｉｔｔｅｄ  ＤＬ  Ｄａｔａ  Ｖｏｌｕｍｅは、例えばオクテット単位の所定範囲の整数であり、Ｄａｔａ  Ｖｏｌｕｍｅ  Ｒｅｆｅｒｅｎｃｅは所定範囲の整数である。
【００３９】
また、図７（ａ）に示すように、データ送信量報告メッセージには、ＲＡＢｓ  Ｆａｉｌｅｄ  Ｔｏ  Ｒｅｐｏｒｔ  Ｉｔｅｍ  ＩＥとして、送信に失敗したベアラとその理由を示す情報が含まれていてもよい。また、前述したように、データ送信量報告メッセージには、ユーザ装置ＵＥに送信したが、ユーザ装置ＵＥによる受信を確認できなかったデータ送信量がベアラ毎、キャリア毎に含まれていてもよい。
【００４０】
（装置構成、動作フロー）
＜基地局ｅＮＢ＞
図９に、本実施の形態における基地局ｅＮＢの機能構成図を示す。図９に示すように、基地局ｅＮＢは、ＤＬ信号送信部１０１、ＵＬ信号受信部１０２、データ送信量測定部１０３、データ送信量格納部１０４、データ送信量報告制御部１０５、及びＣＮ通信部１０６を有する。なお、図９は、基地局ｅＮＢにおいて本発明の実施の形態に特に関連する機能部のみを示すものであり、少なくともＬＴＥ方式に準拠した動作を行うための図示しない機能も有するものである。
【００４１】
ＤＬ信号送信部１０１は、基地局ｅＮＢから送信されるべき上位のレイヤの情報から、物理レイヤの各種信号を生成し、ユーザ装置ＵＥに対して送信する機能を含む。ＵＬ信号受信部１０２は、ユーザ装置ＵＥから各種の上り信号を受信し、受信した物理レイヤの信号からより上位のレイヤの情報を取得する機能を含む。特に、本実施に形態では、ＤＬ信号送信部１０１は、あるベアラのデータを複数のキャリアを使用して送信することができる。
【００４２】
データ送信量測定部１０３は、ＤＬ信号送信部１０１によりユーザ装置ＵＥに対して送信されるデータのデータ送信量を、ベアラ毎、キャリア毎に測定し、測定したデータ送信量を、測定した単位であるベアラ毎、キャリア毎にデータ送信量格納部１０４に格納する。具体的には、例えば、データ送信量測定部１０３は、ＤＬ信号送信部１０１によりパケット（例：ＰＤＣＰ  ＳＤＵ）が送信される度に、そのパケットのデータ量をカウント（加算）する。データ送信量格納部１０４は、このように、ベアラ毎、キャリア毎にデータ送信量を格納する。
【００４３】
データ送信量報告制御部１０５は、データ送信量管理装置２０から、ＣＮ通信部１０５を介してデータ送信量報告要求メッセージを受信し、当該データ送信量報告要求メッセージにおいて指定されたベアラ／キャリア毎に、データ送信量格納部１０４からデータ送信量を取得し、指定されたベアラ／キャリア毎のデータ送信量を含むデータ送信量報告メッセージを作成し、ＣＮ通信部１０６に渡す。
【００４４】
ＣＮ通信部１０６はコアネットワークとの通信を行う機能部であり、本実施の形態では、データ送信量報告要求メッセージをデータ送信量管理装置２０から受信し、データ送信量報告メッセージをデータ送信量管理装置２０に送信する。
【００４５】
次に、図１０のフローチャートを参照して、基地局ｅＮＢの動作例を説明する。基地局ｅＮＢが、データ送信量報告要求メッセージをデータ送信量管理装置２０から受信する（ステップ１０１）。基地局ｅＮＢにおけるデータ送信量報告制御部１０５は、受信したデータ送信量報告要求メッセージにおいて指定されたベアラ／キャリア毎に、データ送信量格納部１０４からデータ送信量を取得する（ステップ１０２）。
【００４６】
データ送信量報告制御部１０５は、指定されたベアラ／キャリア毎のデータ送信量を含むデータ送信量報告メッセージを作成し、当該データ送信量報告メッセージをＣＮ通信部１０６に渡し、ＣＮ通信部１０６が当該データ送信量報告メッセージをデータ送信量管理装置２０に送信する（ステップ１０３）。
【００４７】
なお、基地局ｅＮＢの機能構成は上記のものに限られるわけではなく、本実施の形態で説明する処理を実現できるいかなる構成を採用してもよい。例えば、基地局ｅＮＢとして使用できる基地局は、キャリアアグリゲーションに対応した移動通信システムにおける基地局であって、前記基地局からユーザ装置へ送信する下りデータについてのデータ送信量を、当該データを伝送するベアラ毎に、当該ベアラのデータを伝送するキャリア毎に測定するデータ送信量測定部と、前記移動通信システムにおけるデータ送信量管理装置から、ベアラとキャリアを指定したデータ送信量報告要求メッセージを受信し、当該データ送信量報告要求メッセージにより指定されたベアラとキャリアに対応するデータ送信量を含むデータ送信量報告メッセージを作成し、当該データ送信量報告メッセージを前記データ送信量管理装置に送信するデータ送信量報告制御部とを備えることを特徴とする基地局として構成することができる。
【００４８】
前記データ送信量報告メッセージは更に、前記データ送信量の測定を開始した時刻を含むこととしてもよい。このようにデータ送信量の測定を開始した時刻を含むことで、データ送信量管理装置は、受信したデータ送信量がいつから現在までの送信量かを把握することができる。
【００４９】
＜データ送信量管理装置２０＞
図１１に、本実施の形態におけるデータ送信量管理装置２０の機能構成図を示す。図１１に示すように、データ送信量管理装置２０は、データ送信量報告要求メッセージ送信部２０１、データ送信量報告メッセージ受信部２０２、データ送信量報告要求制御部２０３、データ送信量格納部２０４、及び課金制御部２０５を有する。なお、図１１は、データ送信量管理装置２０において本発明の実施の形態に特に関連する機能部のみを示すものであり、少なくともＬＴＥ方式のコアネットワークを構成する装置としての動作を行うための図示しない機能も有するものである。例えば、ＭＭＥがデータ送信量管理装置２０としての役割を担う場合、つまり、データ送信量管理装置２０がＭＭＥである場合、データ送信量管理装置２０は、ＭＭＥの機能も含む。
【００５０】
データ送信量報告要求メッセージ送信部２０１は、１つ又は複数のベアラと、当該ベアラ毎に１つ又は複数のキャリアを指定したデータ送信量報告要求メッセージを作成し、当該メッセージを基地局ｅＮＢに送信する。
【００５１】
データ送信量報告メッセージ受信部２０２は、データ送信量報告要求メッセージを受信した基地局ｅＮＢから返されるデータ送信量報告メッセージを受信し、メッセージに含まれるベアラ毎、キャリア毎のデータ送信量をデータ送信量格納部２０４に格納する。
【００５２】
データ送信量報告要求制御部２０３は、データ送信量報告要求メッセージの送信トリガを検知し、データ送信量報告要求メッセージの送信をデータ送信量報告要求メッセージ送信部２０１に指示する。送信トリガは、例えば、定期的なタイミングの到来、基地局ｅＮＢにおけるあるベアラの終了等である。データ送信量格納部２０４は、ベアラ毎、キャリア毎のデータ送信量を格納する。当該データ送信量は、当該データ送信が行われた期間（ベアラが設定されていた期間）を示す情報や、測定を開始した時刻、データ送信量を受信した時刻等とともに格納されてもよい。
【００５３】
課金制御部２０５は、データ送信量格納部２０４に格納されたデータ送信量を用いて課金に関する処理を行う。課金に関する処理としては、例えば、ベアラ毎、キャリア毎のデータ送信量を課金を行う装置に送信すること、ユーザ装置ＵＥ毎に、所定期間におけるキャリア毎のデータ送信量を集計すること、等が考えられる。
【００５４】
次に、図１２のフローチャートを参照して、データ送信量管理装置２０の動作例を説明する。
【００５５】
ステップ２０１において、データ送信量報告要求トリガが発生し、データ送信量管理装置２０のデータ送信量報告要求制御部２０３が、当該トリガを検知し、データ送信量報告要求メッセージ送信部２０１にデータ送信量報告要求メッセージの送信を指示する。
【００５６】
データ送信量報告要求メッセージ送信部２０１は、データ送信量報告要求メッセージを作成し、基地局ｅＮＢに送信する（ステップ２０２）。例えば、データ送信量報告要求トリガが、あるベアラの通信が終了した（ベアラが削除された）というトリガであった場合、データ送信量報告要求メッセージ送信部２０１は、当該ベアラの識別情報と、当該ベアラのデータ送信に使用される各キャリアの識別情報とを含むデータ送信量報告要求メッセージを作成し、基地局ｅＮＢに送信する。
【００５７】
データ送信量管理装置２０のデータ送信量報告メッセージ受信部２０２は、ステップ２０２で送信されたデータ送信量報告要求メッセージに対する応答であるデータ送信量報告メッセージを基地局ｅＮＢから受信し（ステップ２０３）、当該データ送信量報告メッセージに含まれるデータ送信量をベアラ毎、キャリア毎にデータ送信量格納部２０４に格納する（ステップ２０４）。
【００５８】
なお、データ送信量管理装置２０の機能構成は上記のものに限られるわけではなく、本実施の形態で説明する処理を実現できるいかなる構成を採用してもよい。例えば、データ送信量管理装置２０として使用できるデータ送信量管理装置は、キャリアアグリゲーションに対応した移動通信システムにおけるデータ送信量管理装置であって、前記移動通信システムにおける基地局に対し、当該基地局からユーザ装置へ送信する下りデータについてのデータ送信量の報告を要求するデータ送信量報告要求メッセージを送信する送信部と、前記データ送信量報告要求メッセージを受信した前記基地局から、要求されたデータ送信量を含むデータ送信量報告メッセージを受信する受信部と、を備え、前記データ送信量報告要求メッセージは、ベアラとキャリアを指定する情報を含み、前記データ送信量報告メッセージに含まれるデータ送信量は、前記指定されたベアラとキャリアを使用して前記基地局から前記ユーザ装置に送信されたデータの送信量であることを特徴とするデータ送信量管理装置として構成することができる。
【００５９】
前記送信部は、例えば、定期的に、又は、前記基地局におけるあるベアラが終了したときに、前記データ送信量報告要求メッセージを前記基地局に送信することができる。特に、あるベアラが終了したときに、当該ベアラに関するデータ送信量を要求することにより、当該ベアラでのデータ送信量を効率良く取得することができる。
【００６０】
上記のように、本実施の形態によれば、あるベアラのデータを複数のキャリアを用いて基地局からユーザ装置に送信する移動通信システムにおいて、ベアラ毎、キャリア毎にユーザ装置に送信されたデータ量を把握することが可能となり、その結果、同じベアラのデータを、複数のキャリア上で異なるサービス約款で提供することを実現できる。
【００６１】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、基地局ｅＮＢ及びデータ送信量管理装置２０は機能的なブロック図を用いて説明されたが、そのような各装置はハードウェアで、ソフトウェアで又はそれらの組み合わせで実現されてもよい。本発明に従って動作するソフトウェア、すなわち、基地局ｅＮＢが有するプロセッサにより動作するソフトウェア、及びデータ送信量管理装置２０が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００６２】
本発明は上記実施形態に限定されず、本発明の精神から逸脱することなく、様々な変形例、修正例、代替例、置換例等が本発明に包含される。
【符号の説明】
【００６３】
ＵＥ  ユーザ装置
ｅＮＢ  基地局
２０  データ送信量管理装置
１０１  ＤＬ信号送信部
１０２  ＵＬ信号受信部
１０３  データ送信量測定部
１０４  データ送信量格納部
１０５  データ送信量報告制御部
１０６  ＣＮ通信部
２０１  データ送信量報告要求メッセージ送信部
２０２  データ送信量報告メッセージ受信部
２０３  データ送信量報告要求制御部
２０４  データ送信量格納部
２０５  課金制御部
【図１】
2015164262.tif 000003
【図２】
2015164262.tif 000004
【図３】
2015164262.tif 000005
【図４】
2015164262.tif 000006
【図５】
2015164262.tif 000007
【図６】
2015164262.tif 000008
【図７】
2015164262.tif 000009
【図８】
2015164262.tif 000010
【図９】
2015164262.tif 000011
【図１０】
2015164262.tif 000012
【図１１】
2015164262.tif 000013
【図１２】
2015164262.tif 000014